(57)【特許請求の範囲】
【請求項１】
フレームによって箱型に形成される牛収容室であって、該牛収容室は後方に牛の出入部を有し、該出入部の後扉及び前扉並びに側扉が開閉自在に形成されると共に、該牛収容室に入室した牛の吊り上げ装置を備え、更に、左右両側扉下方部の前方部位及び後端部位に夫々牛足固定具を備え、更に、上記前扉は左右の扉から成り、且つ、両扉を合接したとき縦方向中央部が牛首を遊挿できる程度の縦長状の牛首遊挿孔が形成できるように構成され、且つ、該左右の扉は内側部の下端部をフレームに枢支して上方部を左右下方向へ夫々拡開できるように構成されて成る牛蹄削蹄装置に於て、前記牛首遊挿孔に牛首が遊挿されたとき、該牛首の上下動を規制すべく該牛首遊挿孔の前面に規制杆を回動自在に架設したことを特徴とする牛蹄削蹄装置に於ける牛首遊挿孔の調節装置。
【発明の詳細な説明】
【０００１】
【発明の属する技術分野】
この発明は牛蹄削蹄装置に於ける牛首遊挿孔の調節装置に関するものであり、特に、牛首遊挿孔に牛首が挿入されたとき、牛首の上下動を規制することによる牛の前後足の躍動を停止させて牛蹄の削蹄作業の安全性が期待できるようにした牛蹄削蹄装置に於ける牛首遊挿孔の調節装置に関するものである。
【０００２】
【従来の技術】
本願出願人は、牛蹄削蹄装置を特願平９−０４０２９０号として先に出願した。而して、この先願に係る装置は、フレームによって箱型に形成される牛収容室であって、該牛収容室は後方に牛の出入部を有し、該出入部の後扉及び前扉並びに側扉が開閉自在に形成されると共に、該牛収容室に入室した牛の吊り上げ装置を備え、更に、左右両側扉下方部の前方部位及び後端部位に夫々牛足固定具を備え、更に、上記前扉は左右の扉から成り、且つ、両扉を合接したとき縦方向中央部が牛首を遊挿できる程度の縦長状の牛首遊挿孔が形成できるように構成され、且つ、該左右の扉は内側部の下端部をフレームに枢支して上方部を左右下方向へ夫々拡開できるように構成されて成るものである。
【０００３】
そこで、この牛蹄削蹄装置で牛の蹄を削蹄しようとする際には、先ず、前後左右の夫々の扉を開放し、前記牛足固定具を夫々横方向へ開いておく。そして、後方の牛の出入部から牛収容室内に牛を入れる。然る後、前記扉を閉じる。このとき、前面の扉は左右の前扉が下部の枢支部を回動支点として中央部に回動し、そして、縦長の牛首遊挿孔が形成され、この牛首遊挿孔に牛首が遊挿されることになる。更に、後部の扉も閉じ、更に、牛の吊り上げ装置によって牛を吊り上げた後、前記牛足固定具に牛の前足及び後足を夫々固定し、作業員によって削蹄作業が行われるのである。
【０００４】
【発明が解決しようとする課題】
上記先願に係る装置に牛を収容して牛蹄を削蹄しようとするとき、牛首は縦長の牛首遊挿孔に遊挿された状態となる。然るときは、該牛首遊挿孔に遊挿された牛は、該牛首を牛首遊挿孔の縦方向に自在に移動させることができる。而して、牛首を縦方向に自在に移動させるとき、牛は習性により牛足も同時に自在に躍動させることが多く、依って、牛足固定具に牛足を固定すること自体が困難であり、且つ、一旦、牛足を牛足固定具に固定した後に於ても、前記牛首の縦方向の任意の移動に伴って牛足固定具に牛の力が負荷され、牛が自らの牛足を傷つけたり、或いは牛足固定具、又はその周辺器物、或いは削蹄する作業員に損傷を及ぼすと云う憂いがある。
【０００５】
そこで、牛蹄削蹄装置に於て牛足の固定を確実、且つ、安全ならしめるために解決せらるべき技術的課題が生じてくるのであり、本発明は該課題を解決することを目的とする。
【０００６】
【課題を解決するための手段】
この発明は上記目的を達成するために提案せられたものであり、フレームによって箱型に形成される牛収容室であって、該牛収容室は後方に牛の出入部を有し、該出入部の後扉及び前扉並びに側扉が開閉自在に形成されると共に、該牛収容室に入室した牛の吊り上げ装置を備え、更に、左右両側扉下方部の前方部位及び後端部位に夫々牛足固定具を備え、更に、上記前扉は左右の扉から成り、且つ、両扉を合接したとき縦方向中央部が牛首を遊挿できる程度の縦長状の牛首遊挿孔が形成できるように構成され、且つ、該左右の扉は内側部の下端部をフレームに枢支して上方部を左右下方向へ夫々拡開できるように構成されて成る牛蹄削蹄装置に於て、前記牛首遊挿孔に牛首が遊挿されたとき、該牛首の上下動を規制すべく該牛首遊挿孔の前面に規制杆を回動自在に架設した牛蹄削蹄装置に於ける牛首遊挿孔の調節装置を提供するものである。
【０００７】
【発明の実施の形態】
以下、本発明の一実施の形態を図１乃至図７に従って詳述する。尚、説明の都合上、先ず本願出願人が先に出願した特願平９−４０２９０号の牛蹄削蹄装置について説明する。
【０００８】
図に於て１は牛蹄削蹄装置である。該牛蹄削蹄装置１はフレーム２によって箱型に形成された牛収容室３を有し、更に、該牛収容室３の前面には中央部から左右個別に設けられた左前扉４と右前扉４ａが設けられている。而して、該左前扉４及び右前扉４ａは牛収容室３の前面中央部に位置する部分の夫々の左扉枠５及び右扉枠５ａの下端部を該牛収容室３の前面下方部のフレーム２ａに枢支され、そして、該枢支部６，６ａを回動支点として夫々上方部が左右へ回動して前扉を開放できるように構成されている。
【０００９】
而して、該前扉の開閉装置としては、図１に於て該牛収容室３の前面上方部のフレーム２ｂの位置から右側へ延設し、該延設部の先端部に作動杆７の略中央部を枢着し、該枢着部８にレバー９を固設して、該レバー９を回動させることにより該作動杆７が該枢着部８を回動支点として回動するように構成されている。そこで、該作動杆７の上端部には前記左前扉４の左扉枠５の上端部に一端部を枢着した左前扉用連杆１０の他端部が枢着されており、更に、該作動杆７の下端部には前記右前扉４ａの右扉枠５ａの上方部に一端部を枢着した右前扉用連杆１０ａの他端部が枢着されている。従って、前記レバー９を矢印Ｘ方向に回動させれば前記左前扉４は下端部の枢支部６を回動基点として左方へ回動して該左前扉４が開放され、そして、右前扉４ａは右方へ回動して該右前扉４ａが開放されることになる。
【００１０】
又、該レバー９を矢印Ｙ方向（実線の位置）に回動させれば左右の前扉５，５ａは図示実線のように閉塞する。而して、この左右前扉４，４ａは図１の実線の位置で閉塞しているのであるが、この閉塞状態に於て左扉枠５及び右扉枠５ａが各別に左方及び右方へ湾曲凹設され、そして、牛収容室３内に牛が収容されたとき、前記左右の扉枠５，５ａによって牛の首が遊挿できて上下移動が可能な縦長の牛首遊挿孔１１が形成される。このように縦長の牛首遊挿孔１１を形成すべく前記左右の前扉４，４ａが閉塞状態にあるとき、この閉塞状態にある左右の前扉４，４ａが不慮開放しないようにするために、先端部に歯部１２ａを有する固定具１２の一端部を前記左扉枠５の上端部近傍に枢着し、そして、前記歯部１２ａを右方向の縦フレーム２ｃに設けた係止部１３に係止できるように構成されている。勿論、該左右の前扉４，４ａを開放しようとする際には該固定具１２を上方へ回動して前記歯部１２ａによる噛合を解除し、そして、前述の操作により該左右の前扉４，４ａを開放させることは当然である。
【００１１】
又、図３に示す如く、該牛収容室３の左右側部にも側扉１４，１４が設けられ、そして、該左右双方の側扉１４，１４は夫々の前端部の側扉枠１４ａ，１４ａの上下端部をフレームに枢支し、この枢支部を回動支点として開放することができるように構成されている。
【００１２】
更に又、図４に示すように、該牛収容室３の後部を牛の出入部１５とし、そして、該牛の出入部１５は一端部を枢支して開閉自在に形成された後扉１６が配設されている。
【００１３】
又、図３に示す如く、前記左右双方の側扉１４，１４の前方下部に開口部１７，１７を設け、該開口部１７，１７部位に牛の前足固定具１８，１８を備えておく。而して、該前足固定具１８は鍵型に折曲されて成り、前端部の下部縦軸１８ａをフレーム２に対して回動自在に枢着されており、そして、該下部縦軸１８ａの上端部から水平方向にアーム１８ｂを延設し、該アーム１８ｂの先端部に上部縦軸１８ｃを上下長さ調整自在に立設されている。詳しくは該上部縦軸１８ｃは外筒に対して中軸を遊挿し、外筒にピン孔を開穿して、該ピン孔にピンを挿入固定して上下高さを調整できるように構成されている。而して、該上部縦軸１８ｃの上端部には半月状に湾曲した牛足載置片１８ｄが固設されており、更に、牛足載置片１８ｄの前端部に半月状に湾曲された牛足固定片１８ｅの前端部を枢支し、牛の前足を牛足載置片１８ｄの上面に載置した後、該牛足固定片１８ｅを回動して該牛足の上面から牛足を押えて該牛足を固定できるように、該牛足載置片１８ｄと牛足固定片１８ｅを合接したときに双方によって卵形空所１９が形成される。
【００１４】
斯くの如く、牛の前足は牛蹄を上方に向いた状態で該卵形空所１９内に固定される。該固定に当っては、別途チェン２０を前記牛足載置片１８ｄと牛足固定片１８ｅの後端部に巻き付け、その余端部を前記上部縦軸１８ｃに突設した二又状引掛具２１に引掛して固定される。勿論、該牛の前足固定具１８は左右双方の側扉１４，１４の前記開口部１７，１７の位置に設けられて該側扉１４，１４の開閉動作に支障を来さないように形成されている。
【００１５】
又、図４及び図５に示す如く、左右の下部フレーム２ｄ，２ｄの後端部に牛の後足固定具２２，２２が備えられている。該後足固定具２２は鍵型に折曲されて成り、基部である下部縦軸２２ａは前記下部フレーム２ｄの後端部に設けた筒状支持軸２２ｂに水平方向回動自在に枢支されて成り、更に、該縦軸２２ａの上端部に扇形盤２３を固設し、そして、該扇形盤２３の曲面近傍に多数の孔２３ａ，２３ａ…を開穿し、該孔２３ａ，２３ａ…のうち一つの孔２３ａにピン２４を挿通し、該ピン２４を前記下部フレーム２ｄの後端部に設けた開口筒２５に挿通して所定角に回動された前記後足固定具２２の方向を固定できるように構成されている。
【００１６】
又、該扇形盤２３から水平方向に延設される中軸２２ｃが設けられ、更に、該中軸２２ｃは外筒軸２２ｄ内を摺動自在に遊嵌され、該外筒軸２２ｄに複数個のピン孔２２ｅ，２２ｅ…を開穿し、一つのピン孔２２ｅにピン２２ｆを挿通して中軸２２ｃと外筒軸２２ｄとを固定できるように構成されて水平方向の長さ調整ができるように構成されている。更に又、該外筒軸２２ｄの先端部には上部縦軸２２ｇが立設され、該上部縦軸２２ｇは前記前足固定具１８と同様に上下高さ調整自在に構成されると共に、牛足載置片２２ｈ及び牛足固定片２２ｉ並びに卵形空所１９ａ，チェン２０ａ，二又状引掛片２１ａを有して前足固定具と全く同一の機能を有するが、之は後足の固定に用いられるのであり、従って、左右両側に備えられている事は当然である。又、前記後扉１６にも側扉１４と同様に開口部１７ａが設けられている。
【００１７】
又、該牛収容室３の内底部には略方形に形成された腹帯２６が敷設されている。該腹帯２６は該牛収容室３に入室した牛の腹部を下面より当接し、そして、該腹帯２６を上方へ吊り上げることによって牛も同時に地上に吊り上げることができるように構成されている。而して、該腹帯２６の左右両側縁には直線状の金具２７，２７が固設されており、該金具２７，２７の夫々の前後部に吊り上げ吊り下げ用のワイヤ２８，２８，２８ａ，２８ａが取り付けられ、エアシリンダ２９の駆動により、該ワイヤ２８，２８，２８ａ，２８ａが同一方向に吊り上げられ、又は吊り下げられるように構成されている。
【００１８】
そこで、牛の吊り上げ装置に用いる動力伝達機構について説明する。前記エアシリンダ２９は牛収容室３の天井部に前後方向に向って配設され、側方に備え付けられているエアタンク３０から圧力空気が供給される。而して、該エアシリンダ２９からの動力は図６の解説図に示すように、フレーム２に固設された該エアシリンダ２９のピストンロッド２９ａの先端部に第１チェン３１を連結し、そして、該第１チェン３１は牛収容室３の天井部フレーム２の左右方向に取り付けられた第１回転軸３２に軸着した第１ギヤ３３に巻回され、更に、該第１ギヤ３３に巻回された該第１チェン３１は前記エアシリンダ２９側のフレーム２に固設したスプリング３４の先端部に連結され、該スプリング３４によって該第１チェン３１は常時緊張されている。
【００１９】
又、前記第１回転軸３２には第２ギヤ３５が軸着されている。一方、牛収容室３の天井部フレーム２の前後端部近傍にて左右方向に第２回転軸３６及び第３回転軸３７が平行に対峙して取り付けられている。該第２回転軸３６の両端部には前部シーブ３８，３８が軸着され、第３回転軸３７の両端部にも後部シーブ３８ａ，３８ａが夫々前記前部シーブ３８，３８に対峙して軸着されている。
【００２０】
而して、前記腹帯２６の前部両側に取り付けられている前記ワイヤ２８，２８の上方部は前記前部シーブ３８，３８の夫々前面から巻回され乍らその端部が任意の点Ｐで固定してある。又、該腹帯２６の後部両側に取り付けられている前記ワイヤ２８ａ，２８ａの上方部は前記後部シーブ３８ａ，３８ａの背面から上面に及んで巻回され乍ら該後部シーブ３８ａ，３８ａと夫々対峙する前記前部シーブ３８，３８の夫々の下面から巻回されてその端部が任意の点Ｐにて固定されている。
【００２１】
又、前記第２回転軸３６の中央部には前記第２ギヤ３５に対峙して第３ギヤ３９が軸着されている。そして、該第２ギヤ３５と第３ギヤ３９との間に第２チェン４０が巻装され、第１回転軸３２の回転力を第２回転軸３６に伝達している。
【００２２】
更に又、前記エアシリンダ２９のピストンロッド２９ａの先端部に突部２９ｂを突設し、そして、該ピストンロッド２９ａが収縮して前記腹帯２６を所定高さ、即ち、該腹帯２６にて吊り上げられる牛が所定の高さに達したとき、該突部２９ｂがフレーム２等の所定の位置に設けられたリミットスイッチ４１に圧接して該リミットスイッチ４１をオンさせ、エアシリンダ２９の駆動を停止させると同時に後述の安全装置４２にて吊り上げられた牛が不慮落下しないように構成されている。
【００２３】
又、前記安全装置４２は図７に示す如く、前記第１回転軸３２又は第２回転軸３６の何れかに安全ギヤ４３を軸着し、そして、該安全ギヤ４３に噛合できる爪４４の基部をフレーム２に回動自在に枢着し、更に、該爪４４の上端部を前記安全ギヤ４３と反対側に付勢すべくスプリング４５にて引張している。又、前述せるようにリミットスイッチ４１がオンしたときにはフレーム２に取付けられている電磁切換弁４６がオンしてロッド４７が突出する。而して、該ロッド４７の先端部は前記爪４４の中央部に枢着されているので、該ロッド４７の突出により前記スプリング４５の引張力に抗して爪４４が回動し、前記安全ギヤ４３に噛合して所定高さまで吊り上げられた牛の落下を防止できるように構成されている。
【００２４】
斯くして、牛蹄を削蹄する際には、先ず、前後左右の夫々の扉を開放し、前記前足固定具１８，１８及び後足固定具２２，２２も横方向へ開いておく。そして、後部の牛の出入部１５から牛収容室３内に削蹄しようとする牛を入れる。然る後、前面の左右の夫々の扉を閉じる。このとき前面の扉は左右前扉４，４ａによって縦長の牛首遊挿孔１１が形成され、該牛首遊挿孔１１に前記牛の首が遊挿され、更に、左右及び後部の夫々の扉を閉じる。然るときは、該牛収容室３内に入室した牛はおとなしくなる。そこで、エアシリンダ２９を駆動させてピストンロッド２９ａをシリンダ内に引き込む。然るときは、第１チェン３１の駆動により第１回転軸３２が図５中時計方向に回転し、該第１回転軸３２に軸着されている第２ギヤ３５及び第２回転軸３６に軸着されている第３ギヤ３９も第２チェン４０により時計方向に回転する。更に、第２回転軸３６に軸着されている前部シーブ３８，３８も時計方向に回転して該前部シーブ３８，３８に巻回されているワイヤ２８，２８が引き上げられる。
【００２５】
一方、該前部シーブ３８，３８に対峙している後部シーブ３８ａ，３８ａには夫々対向する前部シーブ３８，３８の下面から後部シーブ３８ａ，３８ａの上面に向って前記ワイヤ２８ａ，２８ａが巻装されているので、後部シーブ３８ａ，３８ａを軸着している第３回転軸３７は反時計方向に回転する。依って、前後のワイヤ２８，２８及び２８ａ，２８ａは前記ピストンロッド２９ａの収縮作用によって上方へ移動し、該ワイヤ２８，２８及び２８ａ，２８ａに懸架されている腹帯２６が前記牛の腹に当接し乍ら、該牛を上方へ吊り上げる。そして、牛を所定高さまで吊り上げたとき、前記リミットスイッチ４１がオンしてエアシリンダ２９がオフし、前記吊り上げ動作が停止すると同時に前記安全装置４２が働いて牛の不慮の落下を防止する。勿論、前記リミットスイッチ４１の位置は牛群によって任意に変更できるものとする。
【００２６】
前述せる如く、牛を上方へ吊り上げた後、左右両側及び後部の扉を夫々開放し、そして、前足固定具１８，１８及び後足固定具２２，２２を牛収容室３側へ寄せて固定する。このとき、該固定具は角度及び長さ又は上下を任意に調整できるのですべての牛足の固定に適応できる。そこで、夫々の固定具にて固定された足は牛蹄が上方に向いて固定されており、且つ、削蹄する作業員の両手が自由に使えるので、該削蹄作業が極めて簡易迅速に施行されることが可能となる。
【００２７】
該削蹄作業が終了すれば、前記足の固定を解除し、更に、前記安全装置４２もボタン操作等によって解除し、エアシリンダ２９の操作レバーを操作することにより可及的速やかに牛を下降させて着地させる。然るときは、牛は自然に自己の前後の足によって立つことになる。そこで、前面の左右の扉を開放すれば、牛は自ら後退して牛収容室３から外部へ出る。斯くして、牛の削蹄作業は終了するのである。
【００２８】
而して、前記牛収容室３内に牛が収容されて牛が吊り上げられ、そして、前記牛首遊挿孔１１に牛首が遊挿されたとき、該牛は牛首を水平方向へ移動させることはできないが、該牛首遊挿孔１１が縦長に形成されている関係上、該牛は牛首を上下方向に対しては自在に移動させることができる。このとき、牛は習性上、牛首の上下動に伴って牛の前後の足も躍動して牛足固定具１８，１８及び２２，２２に牛足の力が負荷され、そのために牛足の固定が困難となる場合もあり、更に、一旦牛足を牛足固定具１８，１８及び２２，２２に固定しても、前述したように牛首の上下動によって牛足が躍動し、該牛足が前記牛足固定具１８，１８及び２２，２２並びに周辺器物を損壊させると云うことがある。
【００２９】
そこで、一旦、牛首を牛首遊挿孔１１に遊挿したときには、牛首の体形に応じて任意に高さ位置に設定された本発明の規制杆４８を該牛首遊挿孔１１の適正の高さ位置に装架し、そして、牛首が上下方向へ自在に移動できないように規制する。
【００３０】
而して、該規制杆４８は、シリンダ４９と、該シリンダ４９の一端部に伸縮自在に嵌挿されている爪片５０と、該シリンダ４９の他端部に突設した軸片５１、並びに該シリンダ４９内に介装され、前記爪片５０を外方へ付勢するためのスプリング５２とから成る。
【００３１】
一方、フレーム２の前面に立設されている片方の縦フレーム２ｃに、多数のラチェット爪５３ａ，５３ａ…を縦方向に並設されて成るラチェット片５３を取付ける。而も、該ラチェット片５３の該縦フレーム２ｃに対する取付位置は上下のボルト孔５３ｂ，５３ｂ…を介して任意に変更できるものとする。而して、該ラチェット片５３は前後にガイド５３ｃ，５３ｃを縦方向に対峙して設け、そして、前記ラチェット爪５３ａ，５３ａ…は該ガイド５３ｃ，５３ｃの間に設けられている。
【００３２】
又、該フレーム２の前面に立設されている他方の縦フレーム２ｃに、縦方向に多数の取付孔５４ａ，５４ａ…を開穿した板体５４ｂ，５４ｂを前後に対峙させて成る前記シリンダ４９の枢支片５４を取付ける。勿論、前記前後の板体５４ｂ，５４ｂに開穿した夫々の取付孔５４ａ，５４ａ…は前後孔芯が一致していることは当然である。
【００３３】
斯くして、シリンダ４９の一端に突設している軸片５１の先端部に設けた枢支孔片５１ａを前後の取付孔５４ａ，５４ａ間に挿入し、ピンＰ等を用いて該シリンダ４９を該枢支片５４に枢支して上下回動自在に形成する。而も、該枢支片５４の該縦フレーム２ｃに対する取付位置は、上下のボルト孔５４ｃ，５４ｃ…を介して任意に変更でき、且つ、該シリンダ４９の枢支部の取付位置も前記取付孔５４ａの選定により任意に変更できるものとする。然るときは、前記ラチェット片５３の取付位置の変更と相俟って牛の体形に対応させて、牛首の遊挿位置を所定位置に設定することができる。
【００３４】
又、前記シリンダ４９の前記爪片５０の嵌挿位置にスリーブ５５を長手方向に開穿し、そして、該スリーブ５５を介して該シリンダ４９内に把持片５６を挿入し、更に、該把持片５６の先端部を前記爪片５０に固設する。而して、前記爪片５０が前記スプリング５２の付勢により前記ラチェット爪５３ａに噛合しているとき、この噛合を脱して該規制杆４８を上方へ回動し、該規制杆４８による牛首遊挿孔１１に対する上下長さの規制を解除する際、該把持片５６を把持して該シリンダ４９の中心方向へ摺動せしめれば、該爪片５０もシリンダ４９内を中心方向へ摺動して前記ラチェット爪５３ａに対する噛合を脱することになる。
【００３５】
又、該シリンダ４９のラチェット片５３側には突片５７が突設されており、そして、該突片５７にロープ（図示せず）等を取付け、フレーム２の上方部にリール（図示せず）等を回転自在に枢着し、該リールに該ロープを巻回し乍ら下方へ垂下せしめ、そして、該ロープを引張することにより該シリンダ４９等から成る規制杆４８を上方へ回動させ、そして、縦フレーム２ｃに沿設した状態に維持させることができるようにしてもよい。又、手動によって該規制杆４８の回動操作を行ってもよい。
【００３６】
而して、該規制杆４８は、前記取付孔５４ａ，５４ａ…のうち任意の取付孔５４ａが選択されて枢支される。そして、当初は上方へ回動されて縦フレーム２ｃに沿設されている。そこで、牛蹄を削蹄しようとするときには、該牛収容室３内に牛が収容され、そして、該牛は吊り上げられ、更に、前面の左右の扉枠５及び５ａを回動させて牛首遊挿孔１１を形成する。然る後、前記規制杆４８を下方へ回動させて牛首の上面に当接させ、ラチェット爪５３ａに爪片５０が噛合して該規制杆４８が所定位置で固定される。然るときは、牛首遊挿孔１１の上下の長さが丁度牛首を遊嵌できる程度の長さに規制され、依って、牛は牛首を上下左右何れにも自在に動かすことができなくなる。斯かる場合には、牛の習性上、牛足も静止することになり、依って、牛足固定具１８，１８及び２２，２２に対する牛足の固定も容易となると共に、一旦、固定された牛足は牛首の動きの規制によってその力を牛足固定具１８，１８及び２２，２２に負荷させることがないので、牛足及び牛足固定具１８，１８及び２２，２２又はその周辺器物等を損傷させるようなことは一切なくなる。
【００３７】
而して、削蹄作業が終了したときには、爪片５０に固設してある把持片５６を把持して該爪片５０をシリンダ４９の中心方向に摺動させ、該爪片５０のラチェット爪５３ａに対する噛合を脱せしめ乍ら規制杆４８を上方へ回動して縦フレーム２ｃに沿設すると共に、前扉枠５及び右扉枠５ａを左右に回動して開いておき、次の削蹄動作を待つことになる。
【００３８】
尚、本発明は、本発明の精神を逸脱しない限り種々の改変を為すことができ、そして、本発明が該改変されたものに及ぶことは当然である。
【００３９】
【発明の効果】
この発明は上記一実施の形態にて詳述せる如く、牛蹄削蹄装置の牛収容室に牛を収容し、そして、該牛を吊り上げ、更に、左右の前扉を中央側へ回動して牛首遊挿孔内に牛首を遊挿した後、規制杆を下方へ回動して牛首遊挿孔の上下の長さを規制し、該牛首の上下動を規制する。勿論該牛首は水平方向の動きも、幅方向は予め狭く形成されている牛首遊挿孔によって規制されているので、該牛は牛首を上下左右の何れの方向にも動かすことができない。
【００４０】
斯くして、牛足も牛首の動き規制に順応して静止した状態となり、牛足固定具に対する牛足の固定も容易迅速に行われ、且つ、固定した後に於ても牛足の力が該牛足固定具に負荷されることがないので、極めて安全確実に削蹄作業が施工でき、且つ、作業環境も改善され、削蹄の作業性が向上し、コストダウンにも寄与する等、正に著大なる効果を奏する発明である。
【図面の簡単な説明】
【図１】本発明の一実施の形態を示し、牛蹄削蹄装置の正面図。
【図２】本発明の要旨の一実施の形態を示し、その縦断解説図。
【図３】図１の側面図。
【図４】後扉を開放した状態の図１の背面図。
【図５】牛の前足固定具及び腹帯部分を示す一部切欠斜面図。
【図６】腹帯の吊り上げ装置の動力伝達機構を示す解説図。
【図７】安全装置の解説図。
【符号の説明】
１          牛蹄削蹄装置
２          フレーム
３          牛収容室
４          左前扉
４ａ        右前扉
１１          牛首遊挿孔
１４          側扉
１５          牛の出入部
１６          後扉
１８          牛の前足固定具
２２          牛の後足固定具
２６          腹帯
４８          規制杆
【図１】
0003777257.tif 000002
【図２】
0003777257.tif 000003
【図３】
0003777257.tif 000004
【図４】
0003777257.tif 000005
【図５】
0003777257.tif 000006
【図６】
0003777257.tif 000007
【図７】
0003777257.tif 000008